(57)【要約】【課題】電気コンセントに接続した電気プラグの接続状態を維持し、また、当該接続状態が解除される場合に、電気プラグと電気プラグ接続される電線を電気的に遮断する電気プラグ抜け防止治具およびその設置方法を提供する【解決手段】電気プラグ抜け防止治具１００は、導通とする位置と不導通とする位置との移動によって導通状態と不導通状態とを切替える切替スイッチ２１を備えた遮断器２０に接続される電線９１を一端側１３に接続されるプラグ本体１１と、プラグ本体１１の他端側に電気コンセント３０に差し込んで接続する接続部１２とを備えた電気プラグ１０を、接続部１２の抜差方向Ｄに沿い電気コンセント３０に向けて押圧する治具本体を備えている。【選択図】図２
2018073713.tif 000002
【特許請求の範囲】
【請求項１】
導通とする位置と不導通とする位置との移動によって導通状態と不導通状態とに切替える切替スイッチを備えた遮断器に接続される電線を一端側に接続されるプラグ本体と、当該プラグ本体の他端側に電気コンセントに差し込んで接続する接続部とを備えた電気プラグを、前記接続部の抜差方向に沿い前記電気コンセントに向けて押圧する治具本体を備えた電気プラグ抜け防止治具であって、
前記治具本体は、前記プラグ本体を、前記抜差方向に沿い前記電気コンセントに向けて押圧する第一押圧部と、前記切替スイッチを、前記抜差方向に沿い押圧する第二押圧部とを備え、
前記第二押圧部は、前記第一押圧部が前記抜差方向に沿い前記電気コンセントからの離間に伴い、前記切替スイッチを、前記不導通となる位置に向けて移動するよう配置した電気プラグ抜け防止治具。
【請求項２】
前記遮断器を、前記移動の方向が前記抜差方向に沿うように前記電気コンセントに対して配置し、かつ、前記抜差方向の前記電気コンセントから離間する向きが、前記移動の方向の前記不導通とする位置に向かう向きとなるように配置して用いる請求項１に記載の電気プラグ抜け防止治具。
【請求項３】
前記第二押圧部は、前記治具本体が前記抜差方向に沿い前記プラグ本体に近づく場合に、前記切替スイッチを、前記導通とする位置に前記移動の方向に向けて押圧するよう配置した請求項２に記載の電気プラグ抜け防止治具。
【請求項４】
前記治具本体は、ガイドに対して摺動自在の被ガイド部を備え、
前記ガイドは、前記遮断器に対して相対的に前記抜差方向に沿い固定され、
前記治具本体が前記ガイドに沿って前記プラグ本体に近づく場合に、前記第二押圧部が前記切替スイッチを、前記導通とする位置に向けて押圧する請求項３に記載の電気プラグ抜け防止治具。
【請求項５】
前記治具本体は、前記第一押圧部が前記抜差方向に沿い前記プラグ本体から離間する場合に、前記切替スイッチの切替えを不能とするよう前記切替スイッチを隠蔽するカバー部を備える請求項４に記載の電気プラグ抜け防止治具。
【請求項６】
前記治具本体は、前記第一押圧部を備えた第一治具本体と、前記カバー部と前記被ガイド部とを備えた第二治具本体とで成り、
前記カバー部は、前記第二押圧部を備え、
前記第二治具本体を前記ガイドに沿い摺動した場合に、前記第二押圧部が前記切替スイッチを、前記移動の方向に沿い押圧する請求項５に記載の電気プラグ抜け防止治具。
【請求項７】
請求項６に記載の電気プラグ抜け防止治具の設置方法であって、
前記電気プラグを前記電気コンセントに差し込んだ後、
前記第二治具本体を、前記切替スイッチの前記電気コンセントから遠い側から前記ガイドに挿入し、さらに、前記第二治具本体への前記第一治具本体の固定と、前記第二治具本体を前記電気コンセントに向けて摺動とを行い、
前記第一押圧部が前記プラグ本体を押圧した状態で、前記治具本体を前記電気コンセントに対して相対的に固定する電気プラグ抜け防止治具の設置方法。
【発明の詳細な説明】
【技術分野】
【０００１】
本発明は、導通とする位置と不導通とする位置との移動によって導通状態と不導通状態とを切替える切替スイッチを備えた遮断器に接続される電線を一端側に接続されるプラグ本体と、当該プラグ本体の他端側に電気コンセントに差し込んで接続する接続部とを備えた電気プラグを、当該接続部の抜差方向に沿い電気コンセントに向けて押圧する治具本体を備えた電気プラグ抜け防止治具に関する。
【背景技術】
【０００２】
電気プラグを電気コンセントに差し込んで電気的な接続を確立する場合、安全の確保の点で、当該電気プラグを電気コンセントに差し込んだ接続部分を保護し、当該接続部分の接続状態を維持するために電気プラグ抜け防止治具が用いられる場合がある。
【０００３】
例えば、既存の電気コンセントに対して前後のカバーを用意し、裏側カバーを取付プレートと屋外壁面との間に挟持させ、当該電気コンセントにおける庇部の前面に配設した表カバーと前記裏カバーとを結合して両者間を施錠して、電気コンセントに電気プラグが差し込まれた状態で保護する治具が提案されている（特許文献１）。
【０００４】
また、既存の電気コンセントに電気プラグを差し込んだ状態で、当該電気コンセントに電気プラグを押圧するように、当該電気コンセントと電気プラグとを挟み込んで固定して、電気コンセントから電気プラグが抜けることを防止するコンセントプラグ抜け防止装置（電気プラグ抜け防止治具）が提案されている（特許文献２）。
【先行技術文献】
【特許文献】
【０００５】
【特許文献１】登録実用新案第３０９７５６６号公報
【特許文献２】特開２０１５−９０８００号公報
【発明の概要】
【発明が解決しようとする課題】
【０００６】
例えば燃料電池などの発電機に電力を供給する電線に接続された電気プラグの場合、当該電気プラグから電流の流れが生じ得る。したがって、電流の通流が起こり得るような機器に電力を供給する電気プラグを電気コンセントに接続するような場合、電気プラグの抜け防止と共に、電流の通流を制御する安全対策が望まれる。
【０００７】
しかし、従来提案されていた既存の電気コンセントに電気プラグを接続し、それぞれの接続部をカバーして接続状態を保護するような治具を用いる場合、電気プラグに接続される電線から張力を受けるような場合には、接続状態を維持できない場合があった。
また、電気コンセントに電気プラグを押圧するように固定する場合、電気プラグを電気コンセントから引抜かれる前に電気的な安全対策として、通流するおそれのある電流を予め遮断する必要がある。しかし、上記従来の装置においては、電気プラグを電気コンセントから引抜いて接続状態を解除する場合に、引抜いた電気プラグからの放電を防止できない問題があった。
すなわち、電気コンセントに接続した電気プラグの接続状態を維持し、また、当該接続状態が解除される場合に、電気プラグと電気プラグに接続される電線を電気的に遮断するような電気プラグ抜け防止治具が望まれる。
【０００８】
本発明は、かかる実状に鑑みて為されたものであって、その目的は、電気コンセントに接続した電気プラグの接続状態を維持し、また、当該接続状態が解除される場合に、電気プラグと電気プラグに接続される電線を電気的に遮断する電気プラグ抜け防止治具およびその設置方法を提供することにある。
【課題を解決するための手段】
【０００９】
上記目的を達成するための本発明に係る電気プラグ抜け防止治具の特徴構成は、
導通とする位置と不導通とする位置との移動によって導通状態と不導通状態とに切替える切替スイッチを備えた遮断器に接続される電線を一端側に接続されるプラグ本体と、当該プラグ本体の他端側に電気コンセントに差し込んで接続する接続部とを備えた電気プラグを、前記接続部の抜差方向に沿い前記電気コンセントに向けて押圧する治具本体を備えた電気プラグ抜け防止治具であって、
前記治具本体は、前記プラグ本体を、前記抜差方向に沿い前記電気コンセントに向けて押圧する第一押圧部と、前記切替スイッチを、前記抜差方向に沿い押圧する第二押圧部とを備え、
前記第二押圧部は、前記第一押圧部が前記抜差方向に沿い前記電気コンセントからの離間に伴い、前記切替スイッチを、前記不導通となる位置に向けて移動するよう配置した点にある。
【００１０】
上記構成によれば、電気プラグを電気コンセントに接続している場合に、第一押圧部が電気プラグを、接続部の抜差方向（すなわち、電気コンセントの抜差方向）に沿い電気コンセントに向けて押圧するため、接続状態が維持される。
一方、例えば電気プラグが電気コンセントから引抜かれる場合、すなわち、使用者が電気プラグを抜くために、または電線に対し、電気コンセントの抜差方向に沿い電気コンセントから離間する向きに張力が生じて電気コンセントから引抜かれる電気プラグに押されるなどして、第一押圧部が、電気コンセントの抜差方向に沿い電気コンセントから離間する場合には、第二押圧部は、遮断器の切替スイッチを、不導通となる位置に向けて押圧するため、電気コンセントは、電気的に遮断された状態になる。
すなわち、電気コンセントに接続した電気プラグの接続状態を維持し、また、当該接続状態が解除される場合に、電気プラグと電気プラグ接続される電線を電気的に遮断する電気プラグ抜け防止治具を提供できる。
【００１１】
本発明に係る電気プラグ抜け防止治具の更なる特徴構成は、
前記遮断器を、前記移動の方向が前記抜差方向に沿うように前記電気コンセントに対して配置し、かつ、前記抜差方向の前記電気コンセントから離間する向きが、前記移動の方向の前記不導通とする位置に向かう向きとなるように配置して用いる点にある。
【００１２】
上記構成によれば、第一押圧部が、電気コンセントの抜差方向に沿い電気コンセントから離間する場合には、第二押圧部は、遮断器の切替スイッチを、電気コンセントから離間する向きに押圧することになる。これにより、遮断器の切替スイッチは、不導通となる位置に向けて押圧される。その結果、電気コンセントは、電気的に遮断された状態になる。
すなわち、電気コンセントに接続した電気プラグの接続状態を維持し、また、当該接続状態が解除される場合に、電気プラグと電気プラグ接続される電線を電気的に遮断する電気プラグ抜け防止治具を提供できる。
【００１３】
本発明に係る電気プラグ抜け防止治具の更なる特徴構成は、
前記第二押圧部は、前記治具本体が前記抜差方向に沿い前記プラグ本体に近づく場合に、前記切替スイッチを、前記導通とする位置に前記移動の方向に向けて押圧するよう配置した点にある。
【００１４】
上記構成によれば、電気プラグを電気コンセントに差し込んだ状態を維持するように治具本体を設置する際に、遮断器の切替スイッチを導通とする状態にすることができる。
【００１５】
本発明に係る電気プラグ抜け防止治具の更なる特徴構成は、
前記治具本体は、ガイドに対して摺動自在の被ガイド部を備え、
前記ガイドは、前記遮断器に対して相対的に前記抜差方向に沿い固定され、
前記治具本体が前記ガイドに沿って前記プラグ本体に近づく場合に、前記第二押圧部が前記切替スイッチを、前記導通とする位置に向けて押圧する点にある。
【００１６】
上記構成によれば治具本体をガイドに沿って抜差方向に沿い摺動させることができる。そして、ガイドに沿って抜差方向に沿い摺動させて治具本体を前記コンセントに接続された電気プラグのプラグ本体に近づけて、第一押圧部でプラグ本体を押圧するよう電気プラグ抜け防止治具を設置しようとする際に、第二押圧部で遮断器の切替スイッチを、導通とする位置に向けて押圧し、遮断器を導通状態にすることができる。
【００１７】
本発明に係る電気プラグ抜け防止治具の更なる特徴構成は、
前記治具本体は、前記第一押圧部が前記抜差方向に沿い前記プラグ本体から離間する場合に、前記切替スイッチの切替えを不能とするよう前記切替スイッチを隠蔽するカバー部を備える点にある。
【００１８】
上記構成によれば、電気プラグが電気コンセントに接続された状態にある時に、第一押圧部が、電気コンセントの抜差方向に沿い電気コンセントから離間する場合には、遮断器が不導通状態となる。また、第一押圧部が、電気コンセントの抜差方向に沿い電気コンセントから離間して、電気コンセントを引き抜き可能な状態、または、電気コンセントが引き抜かれた状態にある。このような場合には、カバー部が、遮断器のスイッチを不導通の位置から導通の位置に変更不能とするように、遮断器のスイッチを隠蔽するため、電気コンセントを引き抜き可能な状態、または、電気コンセントが引き抜かれた状態にある場合に、遮断器が導通状態となり、電気コンセントが電線と電気的に接続された状態になることを回避できる。
【００１９】
本発明に係る電気プラグ抜け防止治具の更なる特徴構成は、
前記治具本体は、前記第一押圧部を備えた第一治具本体と、前記カバー部と前記被ガイド部とを備えた第二治具本体とで成り、
前記カバー部は、前記第二押圧部を備え、
第二治具本体を前記ガイドに沿い摺動した場合に、前記第二押圧部が前記切替スイッチを、前記移動の方向に沿い押圧する点にある。
【００２０】
上記構成によれば、治具本体を、第一押圧部を備えた第一治具本体と、カバー部と被ガイド部とを備えた第二治具本体とで構成し、カバー部に第二押圧部を備えて、第二治具本体をガイドに沿い摺動した場合に、第二押圧部で前記切替スイッチを、移動の方向に沿い押圧し、遮断器の導通と不導通とを切替えることができる。
【００２１】
本発明に係る電気プラグ抜け防止治具の設置方法の特徴構成は、
前記電気プラグを前記電気コンセントに差し込んだ後、
前記第二治具本体を、前記切替スイッチの前記電気コンセントから遠い側から前記ガイドに挿入し、さらに、前記第二治具本体への前記第一治具本体の固定と、前記第二治具本体を前記電気コンセントに向けて摺動とを行い、前記第一押圧部が前記プラグ本体を押圧した状態で、前記治具本体を前記電気コンセントに対して相対的に固定する点にある。
【００２２】
上記構成によれば、電気プラグを電気コンセントに差し込んだ後、第二治具本体を、切替スイッチの電気コンセントから遠い側からガイドに挿入し、さらに、第二治具本体に第一治具本体を固定と、第二治具本体を電気コンセントに向けての摺動により、第一押圧部がプラグ本体を押圧した状態で、治具本体を電気コンセントに対して相対的に固定することができる。
またこのように電気プラグ抜け防止治具を設置すると、第二治具本体を、切替スイッチの電気コンセントから遠い側からガイドに挿入し、第二治具本体を電気コンセントに向けて摺動する際に、遮断器を導通状態とすることができる。つまり、電気プラグ抜け防止治具を適切に設置する場合に、遮断器を導通状態とすることができる。
【図面の簡単な説明】
【００２３】
【図１】電気プラグ抜け防止治具の取付状態を説明する斜視図
【図２】電気プラグ抜け防止治具の基本的な構成を説明する斜視図
【図３】電気プラグ抜け防止治具の構造を説明する図１のＩＩＩ−ＩＩＩ断面図
【図４】電気プラグ抜け防止治具の取付前の状態説明図
【図５】電気プラグ抜け防止治具の取付過程の状態説明図
【図６】電気プラグ抜け防止治具の取付過程の状態説明図
【図７】電気プラグ抜け防止治具が電気プラグの押圧を解除する場合の状態説明図
【図８】第一治具本体の構成を説明する拡大図
【図９】電気プラグ抜け防止治具の別の構成を説明する図
【図１０】電気プラグ抜け防止治具の別の構成の動作の説明図
【図１１】治具本体の構成を説明する拡大図
【図１２】電気プラグ抜け防止治具の別の構成を説明する図
【発明を実施するための形態】
【００２４】
図１から図１２に基づいて、本発明の実施形態に係る電気プラグ抜け防止治具およびその設置方法について説明する。
まず、電気プラグ抜け防止治具１００および電気プラグ抜け防止治具１００を設置して用いる電気プラグ１０、電気コンセント３０、および遮断器２０について概略構成を説明する。
【００２５】
本実施形態に係る電気プラグ抜け防止治具１００は、図１から３に示すように、導通とする位置と不導通とする位置との移動によって導通状態と不導通状態とを切替える切替スイッチ２１を備えた遮断器２０に接続される電線９１を一端側１３に接続されるプラグ本体１１と、プラグ本体１１の他端側に電気コンセント３０に差し込んで接続する接続部１２とを備えた電気プラグ１０を、接続部１２の抜差方向Ｄに沿い電気コンセント３０に向けて押圧する治具本体を備えている。治具本体は、図１から３に示す場合には、第一治具本体４０と、第二治具本体５０とを含む。
【００２６】
電気プラグ抜け防止治具１００の治具本体は、電気プラグ１０のプラグ本体１１を、電気プラグ１０の接続部１２を電気コンセント３０の抜差方向Ｄに沿い電気コンセント３０に向けて押圧する第一押圧部４１と、切替スイッチ２１を、抜差方向Ｄに沿い押圧する第二押圧部５１とを備え、第二押圧部５１は、第一押圧部４１が抜差方向Ｄに沿い電気コンセント３０から離間する場合に、切替スイッチ２１を、不導通とする位置に向けて押圧するよう配置されている。
【００２７】
以下、さらに電気プラグ抜け防止治具１００および電気プラグ抜け防止治具１００を設置して用いる電気プラグ１０、電気コンセント３０、および遮断器２０について個々の構成を詳述していく。
【００２８】
電気プラグ１０は、電力消費装置に電力を供給する電力線の、電力供給装置（本実施形態では電気コンセント３０）に電気的に接続（以下、電気的に接続することを単に電気接続と言う）する接続具である。電力消費装置としては、例えば燃料電池設備などの発電装置が挙げられる。例えば燃料電池設備が、その駆動用電力の供給を受けるために電気プラグ１０を備え、電気プラグ１０を電気コンセント３０に電気接続し、商用電力の供給を受ける。
【００２９】
電気プラグ１０は、電気プラグ１０の本体部分であるプラグ本体１１に、電力供給を受け付け、また電気コンセント３０に差し込まれる金属接点である接続部１２を備える。電気プラグ１０のプラグ本体１１の一端には、電気プラグ１０が供給を受けた電流を通流させる電線９１が接続されている。
本実施形態の場合、電気プラグ１０は、プラグ本体１１の電線９１が接続されている側の他端側に接続部１２を備える。
なお、後述するように、電気プラグ１０は、本実施形態の場合、電線９１に電気接続された遮断器２０を介して電線９２に電気接続されている。
【００３０】
本実施形態では、電気プラグ１０には電線９２を電気的に介して燃料電池設備が接続されている場合を例示している。
また、本実施形態では、電気プラグ１０は家庭用の単相交流１００Ｖの電力供給装置に接続される場合を例示している。
【００３１】
電線９２は、電気プラグ１０で供給を受けた電力を動作用電力として燃料電池設備に対して供給し、また当該燃料電池設備で発電した電力を電気プラグ１０を介して電気コンセント３０に対して供給する。つまり、この電気プラグ１０からは、電流の通流が生じ得る。電気コンセント３０に対して供給された電力は、電気コンセント３０が設けられている建築物等（一般家庭の家屋など）の既存のブレーカー（図示せず）を介して商用電力網に逆潮流させる（いわゆる売電する）こともできる。
【００３２】
電気コンセント３０について説明する。
電気コンセント３０は、商用電力（例えば１００ボルトの一般家庭向けの交流電流による電力）を、例えば燃料電池設備など電力消費装置に供給するための電力供給装置であり、商用電力に電力消費装置を電気接続するために用いられる。
電気コンセント３０は、あらかじめ壁９０に固定して設置されている。
本実施形態では、電気コンセント３０は家庭用の単相交流１００Ｖの商用電源である場合を示しているが、家庭用の単相交流２００Ｖ場合や、三相交流などの場合も同様の技術的概念にもとづく。
【００３３】
電気コンセント３０は、図２に示すように、電気プラグ１０を接続するコンセント部分３２を備える。本実施形態では、ひとつの電気コンセント３０に、ふたつのコンセント部分３２を備える場合を示しており、ふたつのコンセント部分３２が、抜差方向Ｄに直交する方向に並べて配置された場合、すなわち、横方向にふたつ並べて配置されている場合を示している。コンセント部分３２は、いわゆる電気的な接続端子であり、本例の場合、コンセント部分３２は、電気プラグ１０のオス型の接続部１２（例えば板状に設けられた二つの突起した金属接点）を抜差しして接続する雌型のコネクタ機構（例えば板状に設けられた二つの突起した金属接点を挿入される二つの孔部）の場合を示している。
また、図１、図２は、電気コンセント３０のふたつのコンセント部分３２のうち、一方に電気プラグ１０を差し込む場合を示している。
本例では、電気コンセント３０は、いわゆる屋外設置用の防滴コンセントであり、図６に示すように、上方からコンセント部分３２を覆うように設けられた屋根３１を備える場合を示している。
【００３４】
この電気コンセント３０に対して、電気プラグ１０の接続部１２を差し込めば、電気コンセント３０と電気プラグ１０とが電気的に接続されて、電気コンセント３０から電気プラグ１０に、電力が供給される。
【００３５】
発電設備に電気接続された電気コンセント３０には、電線９２から電気プラグ１０を介して電力が供給されている場合がある。したがって、電線９２から電気コンセント３０に通流する電流を制御するため、すなわち必要時に電線９２から電気コンセント３０に流れる電流を遮断するために、電気コンセント３０と、電線９２との間に、遮断器２０が設けられる。この場合、遮断器２０と、電気コンセント３０とは、電線９１で接続される。遮断器２０は、本実施形態では取付板６０に予め固定した後、取付板６０と共に、ネジ６１で壁９０に固定して設置する。
【００３６】
遮断器２０は、電線９２から電気コンセント３０に対して流れる電流を遮断するための電気遮断電気回路であり、いわゆるスイッチ機構である。本実施形態に示す遮断器２０は、切替スイッチ２１で、電線９２と電気コンセント３０の電気的な接続を行い導通とし、また解除して不導通とする場合を示している。本実施形態では、電気コンセント３０と、電線９２との間である、電気プラグ１０と電線９２との間に遮断器２０が設けた場合を示している。
【００３７】
また、本実施形態では、遮断器２０に安全装置としてヒューズ７０を備える場合を示している。ヒューズ７０は、図２における、遮断器２０の電気コンセント３０に近い側から、電気コンセント３０から離間する方向で、遮断器２０に挿入して装着される。また、ヒューズ７０は、図２における、抜差方向Ｄの方向で、遮断器２０から、電気コンセント３０に近づく向きに、遮断器２０に引き抜かれて取り外される。
【００３８】
図２は、ヒューズ７０を、遮断器２０の電気コンセント３０に近い側（図２における電気コンセント３０の上側）であって、電気コンセント３０に対し、電気コンセント３０のふたつのコンセント部分３２のうち、電気プラグ１０を差しこんだ側のコンセント部分３２とは反対側に偏位した位置にヒューズ７０を備える場合を示している。つまり、図１、図２において、電気プラグ１０が右側のコンセント部分３２に差し込まれる場合に、ヒューズ７０を、図２における電気コンセント３０における、電気コンセント３０の上側かつ左側に設ける場合を示している。このようにすることで、電気プラグ１０を電気コンセント３０に差し込んだ状態であっても、遮断器２０の切替スイッチ２１で使用者が遮断器を自ら不導通として、必要に応じてヒューズ７０を交換することができる。電気プラグ１０を押圧する第一押圧部４１と、ヒューズ７０の装着と取り外し位置との干渉を回避できるためである。
【００３９】
遮断器２０は、切替スイッチ２１の導通と不導通との切替えの移動の方向が抜差方向Ｄに沿うように電気コンセント３０に対して配置されている。この例では、切替スイッチ２１が、いわゆるロッカースイッチであり、切替スイッチ２１の両端をシーソーのように交互に押されて移動する（往復移動する）ことで導通と不導通とを切替えるスイッチである場合を示している。つまり、この切替スイッチ２１は、切替スイッチ２１の面２２を抜差方向Ｄの方向で移動して両端のそれぞれを押されると、遮断器２０の導通と不導通とが切り替わるものである。切替スイッチ２１は、図示しないが、絶縁と防水のため、ゴム状のカバーで覆われている。切替スイッチ２１は、面２２の、図２、図３などにおける上端面を押し込まれると導通となり、下端面を押し込まれると不導通となる場合を示している。つまり、切替スイッチ２１は、第二押圧部５１を切替スイッチ２１の面２２の上端と下端の押圧位置を移動させると導通と不導通とを切替えることができる。
【００４０】
また、図１から３の例では、抜差方向Ｄの電気コンセント３０から離間する向き（図１から３の場合は図視における下向き）が、切替スイッチ２１の移動の方向の不導通とする位置に向かう向きとなるように配置して用いる。つまり、切替スイッチ２１の面２２を押圧される位置が、電気コンセント３０から離間する向きに移動する、すなわち、上端から下端に押圧される位置が移動すると、遮断器２０が導通状態から不導通状態に切替わる。
本実施形態では、切替スイッチ２１の面２２を押圧する位置を、電気コンセント３０に近づく向きに移動させると、すなわち、第二押圧部５１を下端から上端に押圧位置を移動させると不導通状態から導通状態に切替えることができる。また、切替スイッチ２１の面２２の押圧される位置を、電気コンセント３０から離れる向きに移動させると、すなわち、第二押圧部５１が押圧する位置を上端から下端に移動させると遮断器２０を導通状態から不導通状態に切替えることができる。
【００４１】
本実施形態の治具本体は、第一押圧部４１を備えた第一治具本体４０と、第二押圧部５１を備えた第二治具本体５０とを含んでなる。
【００４２】
図６に示すように、第一治具本体４０は、第一押圧部４１をその梁部４４の、一端側に備えている。本例では、梁部４４は、一端が一方向にやや屈曲した、およそ板状の部材であり、一端側のやや中央寄り部分の、屈曲する方向にある片面に、第一押圧部４１を備えている。本例では、屈曲する方向にある片面は、第一治具本体４０の壁９０に向く面である。また、本例では、梁部４４の屈曲した一端部分は、電気プラグ抜け防止治具１００として設置した場合に、電気コンセント３０の屋根３１の内側（屋根３１に対する壁９０の側）にやや挿入された状態に設置される。
【００４３】
第一押圧部４１は、プラグ本体１１の一端側１３を受けるようにして、電気コンセント３０の抜差方向Ｄの電気コンセント３０の向きに押圧する部材である。
図６の例では、第一押圧部４１は、梁部４４の長手方向に対して交錯する方向の一方にテーブル状に設けられ、図６における下側から、抜差方向Ｄの電気コンセント３０の向きに、プラグ本体１１の一端側１３を押圧している。なお、本実施形態の場合には、第一押圧部４１は、梁部４４の長手方向に対して直交する方向の一方にテーブル状に設けた場合を示している。
第一押圧部４１がプラグ本体１１を押圧している状態において、電気プラグ１０が、電気コンセント３０に対して電気接続された状態が維持される。
【００４４】
図８には、第一治具本体４０の第一押圧部４１がプラグ本体１１を押圧するために、電線９１を挿通する孔部ないし凹部である切欠きを備えた場合を例示している。第一治具本体４０は、第一治具本体４０と第二治具本体５０との接続に用いる取付穴４７を備えている。図８の例では、取付穴４７を長手方向を有する長穴として設けた場合を示している。
【００４５】
同じく図８には、第一押圧部４１がプラグ本体１１を押圧する位置関係を調節するために、電線９１を挿通する孔部ないし凹部である切欠き４２ａを備えたアダプタ４２を用いる場合を例示している。
アダプタ４２は、いわゆるスペーサーとして用いる。アダプタ４２を種々変更することで、種々の形態の電気コンセント３０や、電気プラグ１０に対して、電気プラグ抜け防止治具１００を容易に、かつ、低コストで用いることができる。種々の形態の電気コンセント３０や、電気プラグ１０に対する形状等の最適化が、アダプタ４２の形状変更で行えるためである。
【００４６】
第二治具本体５０は、第二治具本体５０の本体部分であるカバー部５５と被ガイド部５２とを備えている。
カバー部５５は、少なくとも壁９０に平行な面部分を有し、壁９０に対して垂直方向の上向きに凸形状（断面がコの字状）に形成されている。そしてカバー部５５は、少なくとも遮断器２０の切替スイッチ２１を、壁９０に対する上方から、隠蔽可能な大きさに形成されている。
【００４７】
また、カバー部５５は、抜差方向Ｄの方向に長手方向を有する長穴として設けた長穴５７を備えている。長穴５７は、カバー部５５の壁９０に平行な面部分のおよそ中央部分に設けられている。
第二治具本体５０は、この長穴５７を介して、ツマミ付き手回しネジであるネジ５６で、取付板６０に必要時に摺動可能な状態で固定されている。
【００４８】
カバー部５５は、抜差方向に直交する方向の両端に、遮断器２０から離れる側に延出する形状の被ガイド部５２を備えている。図２には、被ガイド部５２として、図中の左側の被ガイド部５２ａと、右側の被ガイド部５２ｂを備える場合を示している。
被ガイド部５２は、遮断器２０に対して相対的に固定されている。また、被ガイド部５２は、抜差方向Ｄに沿い固定されたガイド部６２に対して摺動自在である。ガイド部６２は、被ガイド部５２の延出する部分を受ける、凹部を備えている。この凹部は、溝状に、抜差方向Ｄに沿い形成されている。
【００４９】
本例ではガイド部６２ａおよびガイド部６２ｂが、それぞれ被ガイド部５２ａおよび被ガイド部５２ｂに対応するガイドとなっている。
したがって、第二治具本体５０は、被ガイド部５２を介してガイド部６２に挿入し、ガイド部６２に挿入した状態で、第二治具本体５０はガイド部６２に対し、摺動自在となっている。
【００５０】
なお、図１から３に示す落下防止ネジ６５は、第二治具本体５０をガイド部６２に挿入した場合に、第二治具本体５０がガイド部６２から外れないように、第二治具本体５０をガイド部６２の、電気コンセント３０に対して遠い側（図１から３の図示の場合の下側）に設ける係止部として機能する。図１から３の図示の場合は、落下防止ネジ６５は、第二治具本体５０がガイド部６２から外れて落下しないように保持する。
【００５１】
本例では、被ガイド部５２とガイド部６２は、それぞれ互いに噛み合うレール構造の場合を示している。なお、被ガイド部５２とガイド部６２は、被ガイド部５２が、一方向に摺動可能となるものであれば、その形態は問わない。
【００５２】
第二治具本体５０は、第二治具本体５０の本体部分であるカバー部５５の内側に、第二押圧部５１を備える。本例では、第二押圧部５１は、第二治具本体５０の本体部分であるカバー部５５の内側の、電気コンセント３０から遠い側の端部に偏在した位置に設けた場合を示している。
第二押圧部５１は、第二治具本体５０をガイド部６２に沿い摺動した場合に、第二押圧部５１で切替スイッチ２１を、移動の方向（抜差方向Ｄと同じ方向）に沿い押圧し、切替スイッチ２１を切替えて、遮断器２０の導通と不導通とを切替えることができる。
【００５３】
第二押圧部５１は、例えば、カバー部５５の内側から、壁９０に向けて突起状に設けられる。また、本実施形態では、第二押圧部５１は、抜差方向Ｄの方向に直交する方向に長手部分を持つ、土手状の突起である場合を示している。第二押圧部５１の長手方向の長さは、切替スイッチ２１の幅、すなわち、切替スイッチ２１の抜差方向Ｄの方向に直交する方向の長さよりも長く設けてある。切替スイッチ２１に対する第二押圧部５１の押圧を確実ならしめるためである。
なお、第二押圧部５１は、第二治具本体５０をガイド部６２に沿い摺動した場合に、遮断器２０の本体部分とは接触しない。切替スイッチ２１に対する第二押圧部５１の押圧を確実ならしめるためである。
【００５４】
第一治具本体４０と第二治具本体５０とは、以下のように接続されて、電気プラグ抜け防止治具１００の治具本体として機能する。
第一治具本体４０は、第二治具本体５０に、抜差方向Ｄの方向に長手方向を有する長穴として設けた取付穴４７の部分で、トルクス（登録商標）ネジまたは六角ネジであるネジ４５で固定する。取付穴４７の部分で、ネジ４５により第二治具本体５０に第一治具本体４０を固定する構成により、第二治具本体５０に対する第一治具本体４０の取り付け状態を、抜差方向Ｄの方向で変更することができる。つまり、電気プラグ抜け防止治具１００の治具本体の長さを、抜差方向Ｄの方向で変更することができる。電気プラグ抜け防止治具１００の治具本体の長さを、抜差方向Ｄの方向で変更することができるため、電気コンセント３０や、電気プラグ１０、および遮断器２０の種々の位置関係、例えば距離の違いに対して容易に、かつ、低コストで対応できる。
【００５５】
第一治具本体４０と第二治具本体５０とは、以下のように接続されて、電気プラグ抜け防止治具１００の治具本体として機能する。
つまり、第二治具本体５０が、ガイド部６２に沿って（抜差方向Ｄに沿って）電気コンセント３０またはプラグ本体１１に近づく場合に、第二押圧部５１が切替スイッチ２１を、導通となる位置に向けて押圧する。そして遮断器２０は導通状態となる。この時、第二押圧部５１は、切替スイッチ２１と電気コンセント３０との間の位置に在る。本例では、第二押圧部５１は、切替スイッチ２１の位置を越えて、電気コンセント３０に偏位した位置に在る。
【００５６】
その後、第一押圧部４１は、プラグ本体１１を電気コンセント３０に対して押圧する。
第一押圧部４１が、プラグ本体１１を電気コンセント３０に対して押圧すると、電気コンセント３０に対する電気プラグ１０の接続状態を維持される状態になる（図１、図３の状態）。
【００５７】
電気コンセント３０に対する電気プラグ１０の接続状態をそのまま維持する場合は、第一押圧部４１が、プラグ本体１１を電気コンセント３０に向けて押圧した状態で、第二治具本体５０を、ネジ５６で取付板６０に対して締め付けて、第二治具本体５０を取付板６０に対して固定しておく。
【００５８】
電気コンセント３０に対する電気プラグ１０の接続状態の維持を解除する場合（電気プラグ抜け防止治具１００が電気コンセント３０に対する電気プラグ１０の押圧を解除する場合）には、ネジ５６を緩め、第二治具本体５０を、第一押圧部４１が抜差方向Ｄに沿い電気コンセント３０またはプラグ本体１１から離間する向きにスライド（摺動）させる。
【００５９】
第一押圧部４１が抜差方向Ｄに沿い電気コンセント３０またはプラグ本体１１から離間する場合、すなわち第一治具本体４０と一体となった第二治具本体５０が治具本体として、ガイド部６２に沿って電気コンセント３０またはプラグ本体１１から離間して、第二押圧部５１が切替スイッチ２１を、不導通となる位置に向けて押圧する。したがって、電気プラグ１０は電線９２から遮断される。この場合に、カバー部５５は、切替スイッチ２１の切替えを不能とするように、切替スイッチ２１の部分を、壁９０に対する上方から壁９０の向きに隠蔽する（図７の状態）。したがって、電気コンセント３０に対する電気プラグ１０の接続状態の維持が解除されている場合には、遮断器２０を導通状態とする操作が物理的に禁止されるのである。
その後、電気プラグ１０は電気コンセント３０から安全に取り外すことができる。
【００６０】
以上では、電気プラグ抜け防止治具１００の治具本体が取り付けられている場合について説明した。以下では、図１から６により、電気プラグ抜け防止治具１００を、最初に設置する場合の設置方法について説明する。また、以下では、電気プラグ抜け防止治具１００の取付前に、遮断器２０が取付板６０に予め固定された後、取付板６０と共に、ネジ６１で壁９０に固定して設置されている。なお、図４から６の図示は、図１に示すＩＶ−ＩＶ断面に相当する断面で図示している。
【００６１】
電気プラグ１０に電力を供給する場合のある発電設備などに、動作のための電力を供給する電気プラグ１０を、電気コンセント３０に接続する場合に、予め遮断器２０を、切替スイッチ２１の導通と不導通との切替えの移動の方向が抜差方向Ｄに沿うように電気コンセント３０に対して配置して設置しておく。
【００６２】
そして遮断器２０を不導通とした状態で、電気プラグ１０を電気コンセント３０に差し込んで電気接続する。そして、電気プラグ１０を電気コンセント３０に差し込んだ後、第二治具本体５０の被ガイド部５２を、切替スイッチ２１の、電気コンセント３０から遠い側からガイド部６２に挿入する（図４）。第二治具本体５０を、ガイド部６２に挿入した場合、図１、図２に示す落下防止ネジ６５を取り付けて、第二治具本体５０が、ガイド部６２から抜け落ちることを防止する。
【００６３】
さらに、第二治具本体５０に第一治具本体４０を固定する。また、第二治具本体５０を電気コンセント３０に向けて摺動させる。例えば、まず、第二治具本体５０を電気コンセント３０に向けて摺動させて、第二治具本体５０の長穴５７を介して図１に示すネジ５６で仮止めする（図４から図５の状態へ変化）。このとき、第二押圧部５１が、切替スイッチ２１の面２２に対して、電気コンセント３０から遠い側から電気コンセント３０に近づく向きに移動する。つまり、第二押圧部５１の切替スイッチ２１を押圧する位置が、切替スイッチ２１の下端側から上端側に移動して、切替スイッチ２１を不導通状態から導通状態に切替える。
【００６４】
その後、第二治具本体５０に、取付穴４７を介して第一治具本体４０をネジ４５で仮止めし（図６）、一体の治具本体とする。第一治具本体４０と、第二治具本体５０との位置をそれぞれ調整し、第一押圧部４１がプラグ本体１１を電気コンセント３０に向けて押圧した状態で、第一治具本体４０および第二治具本体５０を、ネジ４５およびネジ５６で固定する（図６から図１の状態へ変化）。この状態では、第一押圧部４１がプラグ本体１１を電気コンセント３０に向けて押圧しているため、電気プラグ１０に対して引張力が加わる場合（抜差方向Ｄの電気コンセント３０から離間する向きに力が加わる場合）にも、電気プラグ１０の接続部分である接続部１２には、引張力が加わらない。
このようにして、電気プラグ抜け防止治具１００を電気コンセント３０に対して相対的に固定し、電気プラグ１０が電気コンセントから抜けおちることを防止する。
【００６５】
上記のように取り付けると、電気プラグ抜け防止治具１００は、電気プラグ１０を電気コンセント３０から引抜かれる場合は、遮断器２０を不導通とすることができる状態に設置されることになる。
すなわち、電気プラグ抜け防止治具１００が、電気コンセント３０から離れる方向にスライドすると、第二押圧部５１が切替スイッチ２１を、不導通となる位置に向けて押圧する。そして、カバー部５５が切替スイッチ２１（遮断器２０）を隠蔽して、使用者の切替スイッチ２１の操作を不能とする。
したがって、電気プラグ１０が、電気コンセント３０から引抜かれても、安全である。
【００６６】
たとえば、使用者が、電気プラグ１０を、電気コンセント３０から引抜く場合は、ネジ５６をゆるめ、電気プラグ抜け防止治具１００を、電気コンセント３０から離れる方向にスライドさせて、第二押圧部５１で切替スイッチ２１を不導通となる位置に向けて押圧して、遮断器２０を不導通とする。
そうすると、電気プラグ１０を、電線９２に対して、電気的に遮断することができる。つまり、電気プラグ１０を、電気コンセント３０から安全に引抜くことができる。
【００６７】
なお、使用者が、電気プラグ１０を、電気コンセント３０から引抜く場合、使用者（たとえば一般家庭における使用者）は、六角ネジ用のドライバや、トルクス（登録商標）穴付きボルト用のドライバなどの特殊工具は、容易に用意できない場合が多い。そうすると、使用者は、まずツマミ付き手回しネジであるネジ５６を緩めるべきところ、ネジ４５を誤って緩めてしまうというリスクを、ネジ４５の形状の工夫により、形状的に低減することができる。通常、使用者は、緩めるために特殊工具が必要なネジ４５よりも、工具を用いずに緩めることができるネジ５６を優先して緩めようと考えるためである。
【００６８】
また、電気プラグ１０が、電気コンセント３０から不意に引抜かれる場合は、電気プラグ１０が、第一押圧部４１を押圧するので、電気プラグ抜け防止治具１００が、電気コンセント３０から離れる方向にスライドして、第二押圧部５１が切替スイッチ２１を、不導通となる位置に向けて押圧する。したがって、遮断器２０が不導通となる。
そのため、電気プラグ１０は、電線９２に対して、電気的に遮断される。つまり、電気プラグ１０が、電気コンセント３０から不意に引抜かれる場合にも、安全性が担保される。
【００６９】
以上のようにして、電気コンセントに接続した電気プラグの接続状態を維持し、また、当該接続状態が解除される場合に、電気プラグと電気プラグが接続される電線を電気的に遮断する電気プラグ抜け防止治具およびその設置方法を提供することができる。
【００７０】
〔別実施形態〕
（１）上記実施形態では、治具本体を、第一治具本体４０と第二治具本体５０とで構成し、第二押圧部５１を、第二治具本体５０に設ける場合を例示した。また、切替スイッチ２１が、シーソーのように交互に押すロッカースイッチである場合を例示した。しかし、本実施形態はこれらの場合に限られない。
例えば、図９から１１に示すように、治具本体を、第一治具本体４０のみで構成し、第一治具本体４０に、第二押圧部５１を設けてもよい。具体的には、第一治具本体４０の梁部４４の、第一押圧部４１とは他端側に第二押圧部５１を設ける。この場合、例えば、第一押圧部４１とは反対側である他端側を、壁９０から離れる側にやや屈曲させて、切替スイッチ２１を押圧する第二押圧部５１を形成してもよい。
【００７１】
また、切替スイッチ２１を往復移動してスライドして、導通と不導通とを切替えるスライドスイッチの他、その他のスイッチ機構を用いてもよい（図９、図１０）。
図９の場合、第二押圧部５１が、スライドスイッチである切替スイッチ２１を、導通側である上側の位置から、不導通となる下側の位置に向けた方向（抜差方向Ｄの電気コンセント３０から離間する向き）にスライドして、遮断器２０を不導通とすることができる（図１０）。
【００７２】
（２）上記実施形態では、第二押圧部５１をカバー部５５の内側から、壁９０に向けて突起状に設ける場合を例示した。しかし、本実施形態はこれらの場合に限られない。
例えば、図１２に示すように、第二押圧部５１を、例えば長穴状などの穴状の穴部に形成し、当該穴部に、突起状に形成した切替スイッチ２１を挿入して係合させて、切替スイッチ２１を押圧し、切替スイッチ２１を切替えて、遮断器２０の導通と不導通とを切替える構成とすることもできる。
【００７３】
（３）上記実施形態では、治具本体を、第一治具本体４０と第二治具本体５０とで構成し、カバー部５５を第二治具本体５０に設ける場合を例示した。しかし、本実施形態はこれらの場合に限られない。
例えば図９、図１２のようにカバー部５５を設けない場合もある。
【００７４】
（４）上記実施形態では、第二治具本体５０に、長穴として設けた取付穴４７を介して第一治具本体４０をネジ４５で固定し、一体の治具本体とする場合を例示した。しかし、本実施形態はこれらの場合に限られない。
例えば第二治具本体５０に、取付穴４７に対応する複数個の異なる位置のネジ穴を予め設けておき、取付穴４７およびネジ４５を取り付けるネジ穴を適宜変更して、第二治具本体５０に、取付穴４７を介して第一治具本体４０をネジ４５で固定する場合もある。
たとえば、電気コンセント３０のコンセント部分３２の位置の選択（たとえば電気コンセント３０の右側のコンセント部分３２ないし左側のコンセント部分３２のいずれに電気プラグ１０を接続するかの選択）や、電気コンセント３０と、遮断器２０との間の距離に対する治具本体の長さの調整しろとして、有用に利用可能である。
第一治具本体４０と第二治具本体５０との互いの固定方法は、互いの固定と開放が自在であれば、その方法は問わない。本実施形態における、第一治具本体４０と第二治具本体５０との固定方法の開示は、あくまでも一例に過ぎないのである。
【００７５】
（５）上記実施形態では、第二治具本体５０に、長穴として設けた取付穴４７を介して第一治具本体４０をネジ４５で固定し、一体の治具本体とする場合を例示したが、ネジ４５には種々の工夫が可能である。
上述したように、電気プラグ１０を、電気コンセント３０から引抜く場合は、ネジ５６をゆるめ、電気プラグ抜け防止治具１００を、電気コンセント３０から離れる方向にスライドさせて、第二押圧部５１で切替スイッチ２１を不導通となる位置に向けて押圧して、遮断器２０を不導通とするが、この場合に、ネジ４５は緩める必要は無い。
そこで、ネジ４５については例えば以下のような工夫を加えることができる。
【００７６】
ネジ４５を、トルクス（登録商標）ネジまたは六角ネジなどの可逆的なネジではなく、かしめて固定する不可逆な固定手段とする場合がある。ネジ４５を通常の手段で取り外せないものとするためである。
【００７７】
ネジ４５を、ネジ５６よりも小さいネジとする場合がある。
たとえば、ネジ４５を通常の平ネジとし、ネジ５６をツマミ付きのネジとする。この場合、使用者は、形状が大きいために、目視的に緩めやすいと判断できるネジ５６をネジ４５に優先して緩めようと考える。また、工具が無くても緩めることができると判断できるネジ５６をネジ４５に優先して緩めようと考える。
そうすると、ネジ５６を緩めるべきところ、ネジ４５を誤って緩めてしまうリスクをネジ４５の形状的に低減することができる。
【００７８】
（６）上記実施形態では、電気プラグ抜け防止治具１００を、最初に設置する場合において、第二治具本体５０をガイド部６２に挿入したのち、第二治具本体５０を電気コンセント３０に向けて摺動させて、第二治具本体５０を仮止めし、その後、第二治具本体５０に第一治具本体４０を仮止めし、一体の治具本体とする場合を例示した。しかし、本実施形態はこれらの場合に限られない。
例えば第二治具本体５０をガイド部６２に挿入したのち、第二治具本体５０に第一治具本体４０を仮止めして一体の治具本体とし、その後、第二治具本体５０（一体の治具本体）を電気コンセント３０に向けて摺動させてもよい。
【００７９】
（７）上記実施形態では、遮断器２０が導通状態となる時、第二押圧部５１が、切替スイッチ２１の位置を越えて、電気コンセント３０に偏位した位置に在る場合を例示した。しかし、本実施形態はこれらの場合に限られない。
たとえば、第二押圧部５１を、切替スイッチ２１と電気コンセント３０との間の位置であって、切替スイッチ２１の上端側を押圧し続ける位置とする場合がある。
このようにすると、使用者が切替スイッチ２１を操作して遮断器を不導通とすることを禁止することができる。切替スイッチ２１はその上端側を第二押圧部５１で押圧されているため、使用者が切替スイッチ２１の下端側を押しても、切替スイッチ２１を切替えることができないためである。
【００８０】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８１】
本発明は導通とする位置と不導通とする位置との移動によって導通状態と不導通状態とを切替える切替スイッチを備えた遮断器に接続される電線を一端側に接続されるプラグ本体と、当該プラグ本体の他端側に電気コンセントに差し込んで接続する接続部とを備えた電気プラグを、当該接続部の抜差方向に沿い電気コンセントに向けて押圧する治具本体を備えた電気プラグ抜け防止治具およびその設置方法に適用できる。
【符号の説明】
【００８２】
１０      ：電気プラグ
１１      ：プラグ本体
１２      ：接続部
１３      ：一端側
２０      ：遮断器
２１      ：切替スイッチ
３０      ：電気コンセント
４０      ：第一治具本体
４１      ：第一押圧部
５０      ：第二治具本体
５１      ：第二押圧部
５２      ：被ガイド部
５２ａ    ：被ガイド部
５２ｂ    ：被ガイド部
５５      ：カバー部
６２      ：ガイド部
６２ａ    ：ガイド部
６２ｂ    ：ガイド部
７０      ：ヒューズ
９１      ：電線
９２      ：電線
１００    ：電気プラグ抜け防止治具
Ｄ        ：抜差方向
【図１】
2018073713.tif 000003
【図２】
2018073713.tif 000004
【図３】
2018073713.tif 000005
【図４】
2018073713.tif 000006
【図５】
2018073713.tif 000007
【図６】
2018073713.tif 000008
【図７】
2018073713.tif 000009
【図８】
2018073713.tif 000010
【図９】
2018073713.tif 000011
【図１０】
2018073713.tif 000012
【図１１】
2018073713.tif 000013
【図１２】
2018073713.tif 000014